(57)【特許請求の範囲】
【請求項１】
前後に並置された複数枚の扉のそれぞれに張力部材を介して扉と同一若しくは略同一な重さの錘が連結されて各扉の上下方向のスライドが可能とされ、各扉は、その左右両端部において支持プレートにより支持され、この支持プレートの表裏いずれかの面に前記張力部材の一端が接続され、錘が扉の左右両側に一つずつ独立して連結され、また、支持プレートの表裏いずれかの面にローラーが配設され、支持プレートのローラーが取り付けられた部位が中空柱状の縦枠の中空部に収納可能とされ、前記ローラーをガイドする複数本のレールが、縦枠の内面に中空部に突出して一体に設けられた上下スライド引戸装置であり、支持プレートには、さらに、ローラーより上方位置に、張力部材が切れた時回動して先端部が、レールが配設された縦枠内面に接触し、これを押圧するストッパーが設けられ、このストッパーの先端部の縦枠内面への接触及び押圧にともない、ローラーが、ストッパーの先端部が押圧する縦枠内面と反対側の内面に設けられたレールに押し付けられ、縦枠内面の前後をストッパー先端部、ローラーがそれぞれ押圧することにより扉が自由落下するのを防止することを特徴とする上下スライド引戸装置。
【請求項２】
ストッパーは、縦枠内面に接触して押圧する先端部及び支持プレートに接続された張力部材に係止される被係止部を有し、先端部が下方に向く回動爪と、回動爪の回動中心を形成する回動軸と、回動軸の外周に巻かれ、先端部が下方に向いて回動体が配置された時、回動軸へ巻き付くように絞られ、これにより弾性力が発生、蓄積されるつるまきバネとを備え、張力部材が切れた時、張力部材による係止が解除されてつるまきバネに蓄積されていた弾性力が解放され、回動軸を中心として回動爪が上向きに回動し、その先端部が縦枠内面に接触及び押圧する請求項１記載の上下スライド引戸装置。
【発明の詳細な説明】
【０００１】
【発明の属する技術分野】
この出願の発明は、上下スライド引戸装置に関するものである。さらに詳しくは、この出願の発明は、キャビネット本体の前面開口部に設けられる上下方向にスライドする引戸において、扉と錘とを連結するワイヤー、ロープなどの張力部材が何らかの理由により切れた時、扉が自由落下するのを防止し、安全性に優れるとともに実用的にも優れた上下スライド引戸装置に関するものである。
【０００２】
【従来の技術】
キャビネット本体の前面開口部を開閉する戸には開き戸、引戸などが知られているが、上下方向にスライドしてキャビネット本体の前面開口部を開閉する上下スライド引戸装置が提案されてもいる。
【０００３】
この上下スライド引戸装置は、たとえば図６に示すことができ、扉（１）が、キャビネット本体（２）の前面開口部（３）において上下方向にスライドするのを可能としたものであり、扉（１）の上下方向のスライドにより前面開口部（３）の開閉を行うことができる。
【０００４】
具体的には、上下スライド引戸装置では、扉（１）にワイヤー、ロープなどの張力部材（４）を介して棒状などの形状に形成された錘（５）が連結されている。錘（５）は、扉（１）と同一若しくは略同一な重さを有し、キャビネット本体（２）の高さ方向にのびる、たとえばキャビネット本体（２）の背板側などに設けられるガイドレール（６）に沿って扉（１）と同じく上下方向にスライド自在とされている。この錘（５）と扉（１）とを連結する張力部材（４）はガイドローラー（７）によりガイドされている。したがって、上下スライド引戸装置では、扉（１）を上下方向にスライドさせ、任意の位置に停止させておくことができる。
【０００５】
【発明が解決しようとする課題】
しかしながら、以上の上下スライド引戸装置には幾つかの問題が指摘される。その一つに張力部材（４）が何らかの理由により切れた時の安全性についての問題がある。扉（１）と錘（５）とを連結する張力部材（４）が切れた時、扉（１）はその自重により落下しかねない。これが、物品の取出し及び収納時に起こると、怪我のおそれがあり、危険である。
【０００６】
そこで、張力部材（４）が万一切れた場合を想定し、扉（１）の不意の落下を防止するために、図６に示した上下スライド引戸装置では、左右の錘（５）をキャビネット本体（２）の横幅方向にのびる連結板（８）により連結している。これにより、万一左右いずれかの側の張力部材（４）が切れたとしても、扉（１）は、他方の側において錘（５）により引き上げられるため、扉（１）が自由落下するのを防止することができる。
【０００７】
一方、連結板（８）を配設することなく、すなわち、左右の錘（５）を独立させたまま扉（１）の自由落下を防止することができれば、上下スライド引戸装置の構造が簡易なものとなり、施工容易となり、コストなどに有利となるはずである。
【０００８】
そこで、図７に示したようなストッパー（９）が、建築物の扉装置に関して考え出されている（特開平８−４４１５号公報）。
【０００９】
このストッパー（９）では、ブレーキ金具（１０）がピン（１１）を中心として回動自在とされ、また、ブレーキ金具（１０）には、張力部材（４）をガイドするガイドローラー（７）の回転の中心となるピン（１２）が貫通している。したがって、通常時には、ブレーキ金具（１０）には、ピン（１２）を介して張力部材（４）の張力が加わっている。ピン（１２）の下方には一端が固定端とされたスプリング（１３）が設けられ、その他端においてブレーキ金具（１０）に連結している。このため、通常時には、張力部材（４）の張力を受けてスプリング（１３）は伸張され、その結果、下方へと向かう弾性力が蓄積されている。
【００１０】
以上の構成を有するストッパー（９）において張力部材（４）が何らかの理由により切れた場合、張力がゼロとなるため、ブレーキ金具（１０）はスプリング（１３）に蓄積された弾性力により、図７図中に示した矢印方向に回動し、前面開口部（３）の縁部に設けられた縦枠（１４）の内面にその先端部が接触し、ブレーキシューの役目を果たし、摩擦力により扉（１）の自由落下を阻止する。
【００１１】
しかしながら、このようなストッパー（９）を現実のものとするには、図７図中に示したように、ブレーキ金具（１０）の先端部は鋸歯状に形成し、縦枠（１４）の内面にその鋸歯状の先端部を楔のように食い込ませる必要がある。それというのも、扉（１）はそれなりの自重があり、自由落下を単に摩擦力により防止することはできないからである。したがって、ブレーキ金具（１０）はもちろんのこと、縦枠（１４）にも自由落下防止時に損傷などが生じないような設計が必要であり、実用化はなかなか難しい。
【００１２】
この出願の発明は、このような事情に鑑みてなされたものであり、キャビネット本体の前面開口部に設けられる上下方向にスライドする引戸において、扉と錘とを連結するワイヤー、ロープなどの張力部材が何らかの理由により切れた時、扉が自由落下するのを防止し、安全性に優れるとともに実用的にも優れた上下スライド引戸装置を提供することを解決すべき課題としている。
【００１３】
【課題を解決するための手段】
この出願の発明は、以上の課題を解決するものとして、前後に並置された複数枚の扉のそれぞれに張力部材を介して扉と同一若しくは略同一な重さの錘が連結されて各扉の上下方向のスライドが可能とされ、各扉は、その左右両端部において支持プレートにより支持され、この支持プレートの表裏いずれかの面に前記張力部材の一端が接続され、錘が扉の左右両側に一つずつ独立して連結され、また、支持プレートの表裏いずれかの面にローラーが配設され、支持プレートのローラーが取り付けられた部位が中空柱状の縦枠の中空部に収納可能とされ、前記ローラーをガイドする複数本のレールが、縦枠の内面に中空部に突出して一体に設けられた上下スライド引戸装置であり、支持プレートには、さらに、ローラーより上方位置に、張力部材が切れた時回動して先端部が、レールが配設された縦枠内面に接触し、これを押圧するストッパーが設けられ、このストッパーの先端部の縦枠内面への接触及び押圧にともない、ローラーが、ストッパーの先端部が押圧する縦枠内面と反対側の内面に設けられたレールに押し付けられ、縦枠内面の前後をストッパー先端部、ローラーがそれぞれ押圧することにより扉が自由落下するのを防止することを特徴とする上下スライド引戸装置（請求項１）を提供する。
【００１４】
またこの出願の発明は、ストッパーは、縦枠内面に接触して押圧する先端部及び支持プレートに接続された張力部材に係止される被係止部を有し、先端部が下方に向く回動爪と、回動爪の回動中心を形成する回動軸と、回動軸の外周に巻かれ、先端部が下方に向いて回動体が配置された時、回動軸へ巻き付くように絞られ、これにより弾性力が発生、蓄積されるつるまきバネとを備え、張力部材が切れた時、張力部材による係止が解除されてつるまきバネに蓄積されていた弾性力が解放され、回動軸を中心として回動爪が上向きに回動し、その先端部が縦枠内面に接触及び押圧すること（請求項２）を一態様として提供する。
【００１５】
以下、図面に沿ってこの出願の発明の上下スライド引戸装置についてさらに詳しく説明する。
【００１６】
なお、以下の実施形態において扉の枚数は２枚が例示されているが、この出願の発明の上下スライド引戸装置は特に２枚扉に限定されることはなく、２枚以上の複数枚の扉を対象としている。
【００１７】
【発明の実施の形態】
図１＜ａ＞＜ｂ＞＜ｃ＞は、それぞれ、この出願の発明の上下スライド引戸装置の一実施形態をキャビネット本体とともに示した透視正面図、側断面図、平面図である。図２は、この出願の発明の上下スライド引戸装置における左側の縦枠部分を具体的に示した横断面図である。図３＜ａ＞＜ｂ＞は、それぞれ、図２に示した縦枠部分の縦断面図、内側面図である。
【００１８】
この出願の発明の上下スライド引戸装置では、図１＜ａ＞＜ｂ＞＜ｃ＞に示したように、前後に並置された複数枚の扉（１）のそれぞれに、図６に示したようなワイヤー、ロープなどの張力部材（４）を介して扉（１）と同一若しくは略同一な重さの錘（５）が連結され、各扉（１）の上下方向のスライドが可能とされている。各扉（１）は、図２に示したように、その左右両端部に配設された縦框（１５）などにおいて支持プレート（１６）を接続し、これに支持されている。この支持プレート（１６）の表裏いずれかの面には、図３＜ａ＞＜ｂ＞に示したように、張力部材（４）の一端が接続されている。張力部材の他端は、扉（１）の左右両側に一つずつ独立して配設された図２に示した錘（５）に接続され、支持プレート（１６）と錘（５）とが連結されている。また、ローラー（１７）が支持プレート（１６）に表裏いずれかの面に配設されている。支持プレート（１６）のローラー（１７）が取り付けられた部位（１６ａ）は、中空柱状の縦枠（１８）の中空部（１８ａ）に収納可能とされている。そして、縦枠（１８）の内面には、ローラー（１７）をガイドする複数本のレール（１９）が、中空部（１８ａ）に突出して一体に設けられている。このレール（１９）に沿って支持プレート（１６）がスムーズに上下にスライド可能となるように、ローラー（１７）は、上下方向にのびる１枚の支持プレート（１６）において同一面上の少なくとも上下２箇所に設けることができる。
【００１９】
また、この出願の発明の上下スライド引戸装置では、図３に示したように、支持プレート（１６）に、さらに、ローラー（１７）より上方位置に、張力部材（４）が切れた時、図３＜ａ＞図中に示した矢印方向に回動して先端部（２０ａ）が、レール（１９）が配設された縦枠（１８）の内面に接触し、これを押圧するストッパー（２０）が設けられている。
【００２０】
以上の構成を備えたこの出願の発明の上下スライド引戸装置では、万一張力部材（４）が切れた時には、前記の通り、ストッパー（２０）が図３＜ａ＞図中に示した矢印方向に回動し、その先端部（２０ａ）が、レール（１９）が配設された縦枠（１８）の内面に接触し、これを押圧する。ストッパー（２０）は、支持プレート（１６）においてローラー（１７）より上方位置に設けられているため、その接触及び押圧にともない、ローラー（１７）が、ストッパー（２０）の先端部（２０ａ）が押圧する縦枠（１８）の内面と反対側の内面に設けられたレール（１９）に図３＜ａ＞図中に矢印で示したように押し付けられる。
【００２１】
したがって、この出願の発明の上下スライド引戸装置は、張力部材（４）が切れた時、縦枠（１８）の内面の前後をストッパー（２０）の先端部（２０ａ）、ローラー（１７）がそれぞれ押圧するため、扉（１）が自由落下するのを防止することができる。扉（１）の落下を完全に阻止し、張力部材（４）が切れた位置を維持することはできない場合もことによるとあるかもしれないが、少なくとも扉（１）が自由落下することはない。危険回避可能な程度にゆっくりと落下することは保証される。
【００２２】
このように、この出願の発明の上下スライド引戸装置では、構造を簡易にし、施工容易としてコストなどに有利な、扉（１）の左右両側に一つずつ独立して錘（５）を配設し、これを扉（１）に張力部材（４）を介して連結する場合、万一張力部材（４）が何らかの理由で切れたとしても、扉（１）は自由落下せず、安全性が確保される。しかも、ストッパー（２０）は、図７に示したストッパー（９）に比べ設計容易であり、この出願の発明の上下スライド引戸装置は実用的に優れる。それというのも、この出願の発明の上下スライド引戸装置では、ストッパー（２０）のみにより扉（１）の自由落下を制動するものでなく、これに加え、扉（１）の左右両端部を支持する支持プレート（１６）の表裏いずれかの面に設けられたローラー（１７）をレール（１９）に押し付けて制動させるからであり、ストッパー（２０）に加わる負荷を分散することができるからである。
【００２３】
なお、この出願の発明の上下スライド引戸装置におけるストッパー（２０）には、種々の構成を採用することができるが、たとえば次のような構成が例示される。
【００２４】
すなわち、ストッパー（２０）は、図４＜ａ＞＜ｂ＞＜ｃ＞に示したように、縦枠（１８）の内面に接触して押圧する先端部（２０ａ）及び図２及び図３＜ａ＞＜ｂ＞に示した支持プレート（１６）に接続された張力部材（４）に係止される被係止部（２１）を有し、先端部（２０ａ）が下方に向く回動爪（２２）を備えることができる。この回動爪（２２）は、たとえば図４＜ａ＞＜ｂ＞＜ｃ＞に示したように、ピン孔（２３）が一端部に貫通して形成された略弓形板状形状を有する爪板（２４）を２枚一対として平行配置し、その両者を被係止板（２５）により接続して形成することができる。縦枠（１８）の内面に接触して押圧する先端部（２０ａ）は、その爪板（２４）のピン孔（２３）と反対側の端部に形成することができ、被係止板（２５）の裏面を張力部材（４）による被係止部（２１）とすることができる。
【００２５】
また、ストッパー（２０）は、以上の回動爪（２２）の回動中心を形成する図３＜ａ＞＜ｂ＞に示したような回動軸（２６）を備えることができる。この回動軸（２６）にはたとえばピンなどを採用することができ、図４＜ａ＞＜ｂ＞＜ｃ＞に示した回動爪（２２）の２枚の爪板（２４）にそれぞれ形成されたピン孔（２３）の両方に挿入することにより回動軸（２６）を形成することができる。
【００２６】
さらに、ストッパー（２０）は、その回動軸（２６）の外周に巻かれ、張力部材（４）により被係止部（２１）において係止され、先端部（２０ａ）が下方に向いて回動爪（２２）が配置された時、回動軸（２６）へ巻き付くように絞られ、これにより弾性力が発生、蓄積される、図５＜ａ＞＜ｂ＞＜ｃ＞に示したようなつるまきバネ（２７）をも備えることができる。
【００２７】
なお、つるまきバネ（２７）の両端は、以上の機能が実現されることを前提とた上で適宜な部位に接続、配置することができる。
【００２８】
このような回動爪（２２）、回動軸（２６）及びつるまきバネ（２７）により構成されるストッパー（２０）では、張力部材（４）が切れた時、張力部材（４）による係止が解除されるため、つるまきバネ（２７）に蓄積されていた弾性力が解放されて回動爪（２２）が回動軸（２６）を中心として上向きに回動し、その先端部（２０ａ）が縦枠（１８）の内面に接触及び押圧する。
【００２９】
以上のストッパー（２０）は一形態に過ぎず、この出願の発明の上下スライド引戸装置において特に限定的なものではない。張力部材（４）が切れた時回動して先端部（２０ａ）がレール（１９）が配設された縦枠（１８）の内面に接触し、これを押圧することができる限り、任意の構成及び構造を採用することができる。
【００３０】
そして、この出願の発明は、以上の実施形態によって限定されるものではない。支持プレート及び縦枠の構成及び構造、張力部材の種類などの細部についても様々な態様が可能であることはいうまでもない。
【００３１】
【発明の効果】
以上詳しく説明した通り、この出願の発明によって、キャビネット本体の前面開口部に設けられる上下方向にスライドする引戸において、錘を扉の左右両側に一つずつ独立して配設しても、扉と錘とを連結するワイヤー、ロープなどの張力部材が何らかの理由により切れた時、扉が自由落下することがなく、安全性が確保される。しかも、この出願の発明の上下スライド引戸装置は、ストッパーのみにより自由落下を防止するものではないので、ストッパーの設計が容易であり、実用性に優れる。
【図面の簡単な説明】
【図１】＜ａ＞＜ｂ＞＜ｃ＞は、それぞれ、この出願の発明の上下スライド引戸装置の一実施形態をキャビネット本体とともに示した透視正面図、側断面図、平面図である。
【図２】この出願の発明の上下スライド引戸装置における左側の縦枠部分を示した横断面図である。
【図３】＜ａ＞＜ｂ＞は、それぞれ、図２に示した縦枠部分の縦断面図、内側面図である。
【図４】＜ａ＞＜ｂ＞＜ｃ＞は、それぞれ、この出願の発明の上下スライド引戸装置におけるストッパーに備えることのできる回動爪の一形態を張力部材とともに示した正面図、側面図、底面図である。
【図５】＜ａ＞＜ｂ＞＜ｃ＞は、それぞれ、この出願の発明の上下スライド引戸装置におけるストッパーに備えることのできるつるまきバネの一形態を示した正面図、側面図、底面図である。
【図６】この出願以前に提案されている上下スライド引戸装置の概要を示した斜視図及び要部拡大斜視図である。
【図７】錘を左右独立させて扉に張力部材を介して連結した場合の扉の自由落下を防止するためのストッパーを示した要部断面図である。
【符号の説明】
１    扉
２    キャビネット本体
３    前面開口部
４    張力部材
５    錘
６    ガイドレール
７    ガイドローラー
８    連結板
９    ストッパー
１０    ブレーキ金具
１１、１２    ピン
１３    スプリング
１４    縦枠
１５    縦框
１６    支持プレート
１６ａ    ローラーが取り付けられた部位
１７    ローラー
１８    縦枠
１８ａ    中空部
１９    レール
２０    ストッパー
２０ａ    先端部
２１    被係止部
２２    回動爪
２３    ピン孔
２４    爪板
２５    被係止板
２６    回動軸
２７    つるまきバネ
【図１】
0003711934.tif 000002
【図２】
0003711934.tif 000003
【図３】
0003711934.tif 000004
【図４】
0003711934.tif 000005
【図５】
0003711934.tif 000006
【図６】
0003711934.tif 000007
【図７】
0003711934.tif 000008